(57)【要約】      （修正有）【課題】食品を収容する容器本体と、外部から食品を視認可能で容器本体に被着させる蓋体とからなる食品用包装容器における容器本体について、容器本体の食品載置部に傾斜面を設けた食品用包装容器を積み重ねて置いた場合にも安定して積層陳列することができる食品用包装容器の容器本体を提供する。【解決手段】下方に突出する脚部１２ａと脚部１２ａの内側で食品を載置する食品載置部１２ｂとを有する底部１２と、その底部１２の端縁から上方に立ち上がる側壁１３とを備えた容器本体１１であり、この容器本体１１に食品載置部１２ｂには傾斜面１４を設け、かつ、この傾斜面１４から下方に突出しこの食品用包装容器を複数個積み重ねた際に蓋体の天面に係止する支え突起１７を設ける。【選択図】図１
0003190909.tif 000002
【実用新案登録請求の範囲】
【請求項１】
食品を収容する容器本体と、外部から食品を視認可能で容器本体に被着させる蓋体とからなる食品用包装容器における容器本体であって、
下方に突出する脚部と脚部の内側で食品を載置する食品載置部とを有する底部と、その底部の端縁から上方に立ち上がる側壁とを備え、
食品載置部には傾斜面と、この傾斜面から下方に突出しこの食品用包装容器を複数個積み重ねた際に蓋体の天面に係止する支え突起と、を設けた食品用包装容器における容器本体。
【請求項２】
前記支え突起の先端と、前記傾斜面の下側基端とで形成する対蓋係止面が略水平であり、前記食品用包装容器を複数個積み重ねた際に、支え突起と下側基端とが蓋体の天面に対して略水平に係止する請求項１記載の容器本体。
【請求項３】
食品載置部には水平部を設け、前記支え突起の先端と、この水平部とで形成する対蓋係止面が略水平であり、前記食品用包装容器を複数個積み重ねた際に、支え突起と水平部とが蓋体の天面に対して略水平に係止する請求項１または請求項２記載の容器本体。
【請求項４】
前記傾斜面が、複数段に亘って形成される請求項１〜請求項３何れか１項記載の容器本体。
【請求項５】
食品を収容する容器本体と、外部から食品を視認可能で容器本体に被着させる蓋体とからなる食品用包装容器における容器本体であって、
下方に突出する脚部と脚部の内側で食品を載置する食品載置部とを有する底部と、その底部の端縁から上方に立ち上がる側壁とを備え、
食品載置部を傾斜面とし、この傾斜面と４つの脚部との間に４つの水平部を設け、この４つの水平部で形成する対蓋係止面が略水平であり、前記食品用包装容器を複数個積み重ねた際に、４つの水平部が蓋体の天面に対して略水平に係止する食品用包装容器における容器本体。
【考案の詳細な説明】
【技術分野】
【０００１】
本考案は販売用または持ち帰り用などとして用いられる野菜や肉類、総菜類等を収容する食品用包装容器の容器本体に関する。
【背景技術】
【０００２】
コンビニエンスストアやスーパーマーケット等において利用され、販売用の野菜や肉類、総菜類等を収容する食品用包装容器は、合成樹脂シートから成形され脚部で上げ底状に形成された底部と、底部の端から立ち上がる壁部とを有する皿型の容器本体と、透明な合成樹脂シートから成形され容器本体に被せる蓋体とから構成されている。
こうした食品用包装容器の一例として、特開２００２−９５４２９号公報（特許文献１）には寿司用包装容器が記載されている。
【０００３】
この特開２００２−９５４２９号公報（特許文献１）に記載の寿司用包装容器は、寿司の収まりは良いものの容器本体に設けた敷居の中に埋まってしまうように見え、ボリューム感が感じられなかった。こうした問題は寿司に限らず、他の食品を収容する場合にも同様に当てはまる。
そこで、食品を収容した際にボリューム感を持って視認されるように、収容される食品の見栄えを良くする工夫がなされてきた。
【０００４】
例えば、図９で示す容器本体１は、脚部２ａを有する底部２と、その底部の周縁から上方に立ち上がる側壁３とを備え、平面視で略長方形となる皿状に形成されている。そして、食品の見栄えを良くする工夫として、脚部２ａの内側の食品載置部２ｂを傾斜面４としている。この傾斜面４は、図９や、図１０の断面図で示すように、長方形状の側壁３の一辺３ａ側から対向辺３ｂ側に向かってせり上がる前側傾斜部４ａと後側傾斜部４ｂとが段部４ｃを境に２段に亘って連なったものとして構成されている。
【０００５】
２段に亘る傾斜面４に載置された食品は、食品用包装容器の斜め前方からの消費者の視線に対し、より正面に向くとともに、より立体的に視認されることになる。そのため、食品にボリューム感を持たせることができ、さらには全体的な見栄えを良くすることができる。
【先行技術文献】
【特許文献】
【０００６】
【特許文献１】特開２００２−９５４２９号公報
【考案の概要】
【考案が解決しようとする課題】
【０００７】
食品用包装容器に収容された食品をスーパーマーケットなどで販売する際にはいくつかの食品用包装容器を重ねて置くことが通常である。容器本体１には脚部２ａがあるのでテーブルの上などに１つずつ置く場合には安定的に置けるものの、積み重ねて置く場合には、下になる蓋体の上に脚部２ａを載せるのではなく、その脚部２ａの内側の食品載置部２ｂを蓋体の上に載せるので、食品載置部２ｂに傾斜面４があると水平に重ねられないといった問題が生じる。
そこで、本考案は容器本体の食品載置部に傾斜面を設けた食品用包装容器を積み重ねて置いた場合にも安定して積層陳列することができる食品用包装容器の容器本体を提供することを目的としてなされたものである。
【課題を解決するための手段】
【０００８】
すなわち、食品を収容する容器本体と、外部から食品を視認可能で容器本体に被着させる蓋体とからなる食品用包装容器における容器本体であって、下方に突出する脚部と脚部の内側で食品を載置する食品載置部とを有する底部と、その底部の端縁から上方に立ち上がる側壁とを備え、食品載置部には傾斜面と、この傾斜面から下方に突出しこの食品用包装容器を複数個積み重ねた際に蓋体の天面に係止する支え突起と、を設けた食品用包装容器における容器本体を提供する。
【０００９】
食品を収容する容器本体は、外部から食品を視認可能で容器本体に被着させる蓋体と併せて食品用包装容器を構成するため、食品を外部から遮断して収容することができる。また、食品用包装容器が蓋体を備えることで、容器本体を積み重ねる際に、食品を傷めずに積み重ねることができる。
下方に突出する脚部と脚部の内側で食品を載置する食品載置部とを有する底部を容器本体に備えるため、食品載置部を上げ底にすることができる。また、底部の端縁から上方に立ち上がる側壁を容器本体に備えるため、立体的な食品の形状を損なわずに収容することができる。
【００１０】
食品載置部には傾斜面を有するため、食品用包装容器の斜め前方からの消費者の視線に対し、食品をより正面から見せることができる。また、奥行きをもって視認させることができ、食品をより立体的に見せることができる。さらに、傾斜面によって脚部の基端よりも高い位置に食品を乗せることができる。そのため、食品にボリューム感を持たせることができ、さらには全体的な見栄えを良くすることができる。
そして、この傾斜面から下方に突出しこの食品用包装容器を複数個積み重ねた際に蓋体の天面に係止する支え突起を設けたため、この支え突起を蓋体の上に当接させることができ、安定的に蓋体の上に容器本体を重ねることができる。即ち、支え突起がなければ、蓋体の天面に対して傾斜面が直接的に当接することで容器本体が傾くという不都合を回避することができる。
【００１１】
支え突起の先端と傾斜面の下側基端とで形成する対蓋係止面が略水平であり、食品用包装容器を複数個積み重ねた際に、この支え突起と下側基端とが蓋体の天面に対して略水平に係止する容器本体とすることができる。
支え突起の先端と傾斜面の下側基端とで形成する対蓋係止面を略水平とすることで、食品用包装容器を複数個積み重ねた際に、この支え突起と下側基端とを蓋体の天面に対して略水平に係止させることができる。そのため、複数個の食品用包装容器を垂直に安定的に積み重ねることができる。
【００１２】
支え突起は傾斜面の中央寄りに設ければ、傾斜面の下側基端となる直線部分と支え突起の先端となる１点とで三角形を作って蓋体の天面に当接させることができる。そのため、蓋体の上に安定的に容器本体を積み重ねることができる。
また、食品載置部に食品を乗せれば支え突起を隠すことができる。そのため、食品を収容すると支え突起の存在が外側からでは見えない容器本体とすることができる。
さらに、支え突起を有するため、食品載置部の全体を傾斜面とすることができる。食品載置部の全体が傾斜面であれば食品載置部の全体で見栄えの良い理想的な盛りつけを行うことができる。
【００１３】
食品載置部には水平部を設け、前記支え突起の先端と、この水平部とで形成する対蓋係止面が略水平であり、前記食品用包装容器を複数個積み重ねた際に、この支え突起と水平部とが蓋体の天面に対して略水平に係止する容器本体とすることができる。
食品載置部には水平部を設け、前記支え突起の先端と、この水平部とで形成する対蓋係止面を略水平とすることで、食品用包装容器を複数個積み重ねた際に、この支え突起と水平部とを蓋体の天面に対して略水平に係止させることができる。そのため、複数個の食品用包装容器を垂直に安定的に積み重ねることができる。
【００１４】
また、食品載置部に水平部を有するため、広面積の容器本体の場合には、食品載置部全体を傾斜面とする場合に比べて、傾斜面の下側端部から上側端部までの高を短くすることができる。そのため、必要以上に底部の位置が高くなったり、側壁が高くなったりすることを防ぐことができる。
特に、支え突起を傾斜面の中央寄りに設ければ、傾斜面の下側基端に位置する水平部と支え突起の先端とで蓋体の天面に当接するため、蓋体の上に安定的に容器本体を積み重ねることができる。
【００１５】
食品載置部に設けた傾斜面を、複数段に亘って形成される傾斜面とすることができる。複数段に亘って形成される傾斜面を設けたため、前段にあたる前側傾斜部と後段にあたる後側傾斜部のそれぞれに載置する食品の間で段差が生じ、載置する食品の立体感をより一層感じることができる。そのため、食品の見栄えをさらに良くすることができる。
【００１６】
そしてまた、食品を収容する容器本体と、外部から食品を視認可能で容器本体に被着させる蓋体とからなる食品用包装容器における容器本体であって、下方に突出する脚部と脚部の内側で食品を載置する食品載置部とを有する底部と、その底部の端縁から上方に立ち上がる側壁とを備え、食品載置部を傾斜面とし、この傾斜面と４つの脚部との間に４つの水平部を設け、この４つの水平部で形成する対蓋係止面が略水平であり、前記食品用包装容器を複数個積み重ねた際に、４つの水平部が蓋体の天面に対して略水平に係止する食品用包装容器における容器本体を提供する。
【００１７】
傾斜面と４つの脚部との間に４つの水平部を設け、この４つの水平部で形成する対蓋係止面を略水平とすることで、食品用包装容器を複数個積み重ねた際に、４つの水平部が蓋体の天面に対して略水平に係止する容器本体とすることができる。そのため、複数個の食品用包装容器を垂直に安定的に積み重ねることができる。
【考案の効果】
【００１８】
本考案の食品用包装容器の容器本体によれば、食品用包装容器の斜め前方からの消費者の視線に対しより正面に食品を向けることができ、より立体的に視認されることができる。そして、食品にボリューム感を持たせ、全体的な見栄えを良くすることができる。  また、本考案の食品用包装容器の容器本体によれば、傾斜面を設けた食品用包装容器を積み重ねて置いた場合にも安定して積層陳列することができる。
【図面の簡単な説明】
【００１９】
【図１】第１実施形態の容器本体の平面図である。
【図２】第１実施形態の容器本体を示し、分図（Ａ）はその正面図、分図（Ｂ）はその右側面図、分図（ｃ）は図１のＳＡ−ＳＡ線断面図である。
【図３】蓋体の平面図である。
【図４】図３の蓋体の正面図である。
【図５】第２実施形態の容器本体の平面図である。
【図６】図５の容器本体のＳＢ−ＳＢ線断面図である。
【図７】第３実施形態の容器本体の平面図である。
【図８】図７の容器本体のＳＣ−ＳＣ線断面図である。
【図９】底部に傾斜面を有する容器本体の平面図である。
【図１０】図９のＳＤ−ＳＤ線断面図である。
【考案を実施するための形態】
【００２０】
本考案の実施形態について、図面を参照しつつ説明する。なお、各実施形態において共通する構成、材料、製造方法、作用効果等については重複説明を省略する。
第１実施形態[図１〜図４]：
図１、図２には野菜や肉類、総菜類等、特に刺身の収容に好適な食品用包装容器の容器本体１１を、図３、図４にはこの容器本体１１に被着させる透明な蓋体５１を示す。食品用包装容器はこの容器本体１１と蓋体５１とから構成される。
【００２１】
容器本体１１は、下方に突出する脚部１２ａと、この脚部１２ａの内側で食品を載置する食品載置部１２ｂとを有する底部１２と、その底部１２の周縁から上方に立ち上がる側壁１３とを備え、平面視で略長方形となる皿状に形成されている。
側壁１３は、その先端に設けたエッジ部１３ｃで蓋体と係合する。
底部１２に設けた脚部１２ａは、底部１２の四隅で下方に突出しており、食品載置部１２ｂを上げ底にして食品用包装容器をテーブル等の上に水平に置くことができる。
【００２２】
そして、その上げ底にされた食品載置部１２ｂは傾斜面１４として形成されている。この傾斜面１４は、図１や図２（Ｃ）の断面図で示すように、長方形状の側壁１３の一辺１３ａ側から対向辺１３ｂ側に向かってせり上がる前側傾斜部１４ａと後側傾斜部１４ｂとが段部１４ｃを境に２段に亘って連なったものとして形成されている。
後側傾斜部１４ｂの中央辺りには、下方に突出した支え突起１７が形成されている。この支え突起１７の先端は、食品用包装容器を複数個積み重ねた際に、後述する蓋体の天面に係止する係止面１７ａとなっている。この支え突起１７の先端は蓋体の上に水平に重ねることができる位置まで突出している。
【００２３】
蓋体５１は、図３、図４で示すように、食品の上方を覆う天面５２と、容器本体１１と係合するフランジ部５３と、そして天面５２からフランジ部５３に至る側面部５４とから構成されており、下方に開口する伏凹形に成形され、容器本体１１に対し被着自在とされている。
天面５２は、容器本体１１に収容された食品が見やすいように透明で平板状に形成されている。
【００２４】
容器本体１１に蓋体５１を被せた食品用包装容器を縦に積み重ねるには、蓋体５１の天面５２が容器本体１１の脚部１２ａの内側に入り込み、容器本体１１の脚部１２ａの内側に沿って蓋体５１の側面部５４が位置するように配置する。
そして、図２（Ｃ）で示す傾斜面１４の下側基端１５、即ち、側壁１３の一辺１３ａに連なる前側傾斜部１４ａの端部と、支え突起１７における先端である係止面１７ａとを蓋体５１の天面５２に当接する。
下側基端１５と係止面１７ａとで造る平面は、対蓋係止面となり、この対蓋係止面が略水平になるため、下側の食品用包装容器に対して上側に積み重ねた食品用包装容器は水平に載置される。
【００２５】
容器本体１１や蓋体５１は何れも合成樹脂製のシート材から真空成形や圧空成形等の熱成形の手段を利用して成形できる。蓋体５１は中味の食品が見えやすいように透明で曇りにくい合成樹脂材が用いられる一方で、容器本体１１はその表面に種々の装飾がなされることが好ましく不透明材であって良い。
容器本体１１や蓋体５１の材質には、例えば、ポリスチレンやポリスチレンを主体とする共重合体等のポリスチレン系樹脂、ポリエチレンやポリプロピレン、オレフィンを主体とする共重合体等のポリオレフイン系樹脂、ポリエチレンテレフタレート等のポリエステル系樹脂、その他の各種の熱成形可能な合成樹脂が挙げられる。
【００２６】
容器本体１１は、収容される食品、特に刺身を詰めた場合に、ボリューム感を持って、かつ立体的に視認することができる。また、この食品用包装容器を積み重ねた場合には、安定的に積み重ねることができる。
また、後述する第３実施形態で示す容器本体３１のように傾斜面の端に水平部を有していないため、傾斜面１４の全体を使って理想的な盛りつけを行うことができる。
【００２７】
第２実施形態 [図５、図６]：
図５、図６には、食品載置部２２ｂが先の実施形態で示した容器本体１１と相違する別の実施形態である容器本体２１を示す。本実施形態による容器本体２１の底部２２には、側壁１３の一辺１３ａ側から水平に伸びる前側水平部２４ｄと、その前側水平部２４ｄから対向辺１３ｂ側にせり上がる前側傾斜部２４ａ、そして段部２４ｃを挟んで水平に伸びる後側水平部２４ｅと、その後側水平部２４ｅから対向辺１３ｂ側にせり上がる後側傾斜部２４ｂとで形成される傾斜面２４を有している。
なお、容器本体２１の正面や右側面は、容器本体１１と同様に表れる。
【００２８】
支え突起１７を有しているのは先の実施形態で示す容器本体１１と同じであるが、本実施形態では、後側水平部２４ｅと後側傾斜部２４ｂの境部分からやや後側傾斜部２４ｂ寄りの位置に支え突起１７を設けている。
【００２９】
容器本体２１に蓋体５１を被せた食品用包装容器を縦に積み重ねると、容器本体２１の前側水平部２４ｄと支え突起１７の先端である係止面１７ａとが蓋体５１の天面５２に対して水平に接する。そのため、積み重ねた食品用包装容器を水平に保つことができる。前側水平部２４ｄと係止面１７ａとで形成する対蓋係止面が略水平になるからである。
【００３０】
また、後述する第３実施形態で示す容器本体３１のように、外部から視認しやすい上側傾斜部の端に水平部を有しないため、この容器本体３１よりは見栄え良く食品を盛りつけることができる。
【００３１】
第３実施形態 [図７、図８]：
図７、図８には、さらに別の実施形態である容器本体３１を示す。本実施形態による容器本体３１の底部３２には、第１実施形態で示した容器本体１１に似た前側傾斜部３４ａと後側傾斜部３４ｂと段部３４ｃとを有する食品載置部３２ｂを備えるが、この食品載置部３２ｂには支え突起１７が設けられていない。また、傾斜面３４の隅には、４つの脚部１２ａ，１２ａ，１２ａ，１２ａとの間に４つの水平部である蓋受け面３８ａ，３８ｂ，３８ｃ，３８ｄが形成されている。この蓋体受け面３８ａ，３８ｂ，３８ｃ，３８ｄは、蓋体５１の天面５２に当接する。
なお、容器本体３１の正面や右側面は、容器本体１１と同様に表れる。
【００３２】
容器本体３１に蓋体５１を被せた食品用包装容器を縦に積み重ねると、容器本体３１の４つの脚部１２ａ，１２ａ，１２ａ，１２ａの内側に設けた４つの蓋受け面３８ａ，３８ｂ，３８ｃ，３８ｄが蓋体５１の天面５２に対して水平に接する。そのため、積み重ねた食品用包装容器を水平に保つことができる。これは、４つの蓋受け面３８ａ，３８ｂ，３８ｃ，３８ｄで形成する対蓋係止面が略水平となるからである。
【００３３】
変形例：
支え突起１７は、後側傾斜部１４ｂ，２４ｂの略中央部分に一つだけ設ける例を示しているが、一つに限らず複数個設けることができる。蓋体５１に容器本体を載置した際のバランスを考慮する必要があり、複数個設けるとより安定するからである。また、支え突起１７以外の蓋体５１との当接面は、傾斜面の基端であったり水平部であったりしたが、支え突起１７を複数設けて、この支え突起１７だけで蓋体５１に当接するようにしても良い。
【００３４】
なお、上記実施形態やその変形例で示した例は例示であり、こうした形態に限定されるものではなく、本願考案の趣旨に反しない任意の変更形態を含むものである。即ち、上記実施形態で示した一部の構成を含まなかったり、別の公知の構成を含んだり、代替した構成を採用したりしている場合も本願考案の範囲に含まれる。
例えば、脚部１２ａを底部１２の４隅に設けるのではなく、底部１２，２２，３２の四辺の各々の中心部分に設けるようなものであっても良い。
【符号の説明】
【００３５】
１    容器本体
２    底部
２ａ    脚部
２ｂ    食品載置部
３    側壁
３ａ    一辺
３ｂ    対向辺
３ｃ    蓋体受け部
４    傾斜面
４ａ    前側傾斜部
４ｂ    後側傾斜部
４ｃ    段部
１１，２１，３１    容器本体
１２，２２，３２    底部
１２ａ    脚部
１２ｂ，２２ｂ，３２ｂ    食品載置部
１３    側壁
１３ａ    一辺
１３ｂ    対向辺
１３ｃ    エッジ部
１４，２４，３４    傾斜面
１４ａ，２４ａ，３４ａ    前側傾斜部
１４ｂ，２４ｂ，３４ｂ    後側傾斜部
１４ｃ，２４ｃ，３４ｃ    段部
２４ｄ    前側水平部
２４ｅ    後側水平部
１５    （傾斜面の）下側基端
１７    支え突起
１７ａ    係止面
３８ａ，３８ｂ，３８ｃ，３８ｄ    蓋受け面（水平部）    
５１    蓋体
５２    天面
５３    フランジ部
５４    側面部
【図１】
0003190909.tif 000003
【図２】
0003190909.tif 000004
【図３】
0003190909.tif 000005
【図４】
0003190909.tif 000006
【図５】
0003190909.tif 000007
【図６】
0003190909.tif 000008
【図７】
0003190909.tif 000009
【図８】
0003190909.tif 000010
【図９】
0003190909.tif 000011
【図１０】
0003190909.tif 000012